(57)【要約】【課題】製造コストが低く、プロセスが簡単で、ターゲット使用者の範囲が広く、機能性が高い収納装置に用いられる知能リマインダシステムを提供する。【解決手段】本発明は、収納装置に用いられる知能リマインダシステムを提供する。前記収納装置の本体には一意的に識別される二次元コードのアイデンティティタグが設けられ、前記二次元コードのアイデンティティタグは、携帯電話制御プログラムによりアクセスすることで操作を実現することができる。前記二次元コードのアイデンティティタグを識別する携帯電話制御プログラムは、携帯電話端末ＡＰＰ、ウェイシン公式アカウント、ウェイシンミニプログラムのいずれかであってもよい。本発明は、製造コストが低く、プロセスが簡単で、ターゲット使用者の範囲が広く、機能性が高い。また、本発明の装置は、材質に制限されず、同じ仕様の本発明の製品であれば、各部品を互換的に使用することが可能である。【選択図】なし【特許請求の範囲】
【請求項１】
収納装置に用いられる知能リマインダシステムであって、
前記収納装置の本体には一意的に識別される二次元コードのアイデンティティタグが設けられ、前記二次元コードのアイデンティティタグは、携帯電話制御プログラムによりアクセスすることで操作を実現できることを特徴とする収納装置に用いられる知能リマインダシステム。
【請求項２】
前記二次元コードのアイデンティティタグを識別する携帯電話制御プログラムは、携帯電話端末ＡＰＰ、ウェイシン公式アカウント、ウェイシンミニプログラムのいずれか１種類であることを特徴とする請求項１に記載の収納装置に用いられる知能リマインダシステム。
【請求項３】
前記一意的に識別される二次元コードのアイデンティティタグと使用者のユーザーアカウントとは、機能基礎の対応付け関係であり、且つ一対一対応の関係であることを特徴とする請求項１または２に記載の収納装置に用いられる知能リマインダシステム。
【請求項４】
前記機能基礎は、カスタムリマインダ機能、食品又は貯蔵品の日常管理補助及びアドバイス、食品又は貯蔵品の使用アドバイス、機能拡張アドバイスを含むことを特徴とする請求項３に記載の収納装置に用いられる知能リマインダシステム。
【請求項５】
前記機能基礎におけるカスタムリマインダ機能、食品又は貯蔵品日常管理補助及びアドバイスは、いずれも携帯電話で使用可能な既存の操作であり、携帯電話のプレーヤーソフトウェアを設定してリマインダ機能を実現し、また、携帯電話を適用するスマートスピーカーに接続することで音声制御リマインダを実現することを特徴とする請求項３または４に記載の収納装置に用いられる知能リマインダシステム。
【請求項６】
前記収納装置は、保存容器、弁当箱、薬箱、薬ボックス、収納ボックス、収納袋、収納箱、パッキング箱のいずれか１つであることを特徴とする請求項１乃至５のいずれか一項に記載の収納装置に用いられる知能リマインダシステム。
【請求項７】
前記二次元コードのアイデンティティタグは、貼り付け又はプリントにより示されることを特徴とする請求項１乃至６のいずれか一項に記載の収納装置に用いられる知能リマインダシステム。
【請求項８】
前記収納装置の本体の材質は、プラスチック、ガラス、ステンレス鋼、シリコーン、セラミックのいずれか１種類であることを特徴とする請求項１乃至７のいずれか一項に記載の収納装置に用いられる知能リマインダシステム。
【請求項９】
前記収納装置の本体の使用者は、携帯電話のユーザーであることを特徴とする請求項１乃至８のいずれか一項に記載の収納装置に用いられる知能リマインダシステム。
【発明の詳細な説明】
【技術分野】
【０００１】
本発明は、収納装置の分野に属し、特に、収納装置に用いられる知能リマインダシステムに関する。
【背景技術】
【０００２】
現在、二次元コードの使用は、空港、レストラン、公共交通機関、映画館、会議、メディア、観光等の日常生活に広がっている。スマートフォンの普及に伴い、二次元コードで買い物することは、スタイリッシュなライフスタイルとなっている。そして、新幹線や列車の乗車券に「二次元コード」を導入することや、中国広東での現地不動産の仲介が「二次元コード」による部屋の内見や部屋探しを始めたこと、中国上海の地下鉄での二次元コードによるショッピングである「一番店」を開通したこと等の様々な応用で、人々は携帯電話の二次元コードを使用するだけで、オンラインショッピングの経験を確実に楽しめるようになる。食品から収納装置、携帯電話からデジタルカメラまで、あらゆるものは、二次元コードで入手可能となる。
【０００３】
収納装置は、人々の日常生活における最も基本的な製品として、非常に高い頻度で使用されている。ペースの速い生活では、国内外においても、人々の生活水準と生活の質を向上させるために、科学性、高効率及び利便性を有する様々な知能化製品を開発している。国民の日常生活の効率性と利便性を向上可能な収納装置を開発することで、時間を節約し、収納装置の使用感を向上させることは、中国のような人口の多い国にとっては、意義が大きく、市場が巨大である。中国創造、中国製造、及び中国ブランドの背景では、知能化収納装置は、未来の収納装置の改革と発展の非常に重要な方向となる。例えば、忙しい生活において、食べ切れない食べ物を冷蔵庫に入れたり片隅においたりするが、賞味期限を過ぎて初めて思い出す場合が多く、食べ物の巨大な浪費を招く。
【発明の概要】
【発明が解決しようとする課題】
【０００４】
上記技術問題を解決するために、人々の日常の必要に応じて、本発明は、製造コストが低く、プロセスが簡単で、ターゲット使用者の範囲が広く、機能性が高い収納装置に用いられる知能リマインダシステムを提供する。
【課題を解決するための手段】
【０００５】
上記目的を達成するために、本発明は、次のような技術案を提供する。
収納装置に用いられる知能リマインダシステムであって、前記収納装置の本体には一意的に識別される二次元コードのアイデンティティタグが設けられ、前記二次元コードのアイデンティティタグは、携帯電話制御プログラムによりアクセスすることで操作を実現することができる。
【０００６】
さらに、前記二次元コードのアイデンティティタグを識別する携帯電話制御プログラムは、携帯電話端末ＡＰＰ、ウェイシン（ＷｅＣｈａｔ）公式アカウント、ウェイシンミニプログラムのいずれか１種類であってもよい。
【０００７】
さらに、前記一意的に識別される二次元コードのアイデンティティタグと使用者のユーザーアカウントとは、機能基礎の対応付け関係であり、且つ一対一対応の関係である。
【０００８】
さらに、上記機能基礎は、カスタムリマインダ機能、食品又は貯蔵品の日常管理補助及びアドバイス、食品又は貯蔵品の使用アドバイス、機能拡張アドバイスを含む。
【０００９】
さらに、上記機能基礎におけるカスタムリマインダ機能、食品又は貯蔵品日常管理補助及びアドバイスは、いずれも携帯電話で使用可能な既存の操作であり、携帯電話のプレーヤーソフトウェアを設定してリマインダ機能を実現し、また、携帯電話を適用するスマートスピーカーに接続することで音声制御リマインダを実現してもよい。
【００１０】
さらに、前記収納装置は、保存容器、弁当箱、薬箱、薬ボックス、収納ボックス、収納袋、収納箱、パッキング箱、水筒、哺乳瓶等であってもよい。
【００１１】
さらに、前記二次元コードのアイデンティティタグは、貼り付け又はプリント等により示されてもよい。
【００１２】
さらに、前記収納装置の本体の材質は、プラスチック、ガラス、ステンレス鋼、シリコーン、セラミック等であってもよい。
【００１３】
さらに、前記収納装置の本体の使用者は、携帯電話のユーザーである。
【発明の効果】
【００１４】
（１）本発明は、製造コストが低く、プロセスが簡単で、ターゲット使用者の範囲が広く、機能性が高い。
（２）本発明の装置は、材質に制限されず、同じ仕様の本発明の製品であれば、各部品を互換的に使用することが可能である。
（３）本発明の装置の本体に設けられた一意的に識別される二次元コードのアイデンティティタグは、実際の製品の条件に応じて、貼り付け、プリント等の多種の形態により示される。
（４）スキャン機能により製品アイデンティティを識別することで、製品とユーザーとの対応付けを行い、制御関係を明らかにする。
（５）本発明の装置に接続された携帯電話端末ＡＰＰ及びウェイシンでスキャンした後、自己開発プログラムによって製品に対する識別及び機能制御を実現する。
【発明を実施するための形態】
【００１５】
本発明の上記目的、特徴及び利点をより明白で理解しやすくするために、以下、本発明の具体的な実施形態を詳しく説明する。以下の説明では、本発明の完全な理解のために多くの具体的な詳細を述べる。しかし、本発明は、多くの異なる形態で実施されることができ、本発明の趣旨から逸脱しない限り、当業者は、本発明を改良することができる。従って、本発明は、以下の具体的な実施形態に制限されない。
【００１６】
実施例１
本発明は、収納装置に用いられる知能リマインダシステムを提供する。前記収納装置の本体には一意的に識別される二次元コードのアイデンティティタグが設けられ、前記二次元コードのアイデンティティタグは、携帯電話制御プログラムによりアクセスすることで操作を実現することができる。携帯電話制御プログラムは、携帯電話端末ＡＰＰ、ウェイシン公式アカウント、ウェイシンミニプログラム等であってもよい。前記機能基礎は、カスタムリマインダ機能、食品又は貯蔵品の日常管理補助及びアドバイス、食品又は貯蔵品の使用アドバイス、及び機能拡張アドバイスを含む。前記機能基礎におけるカスタムリマインダ機能、食品又は貯蔵品日常管理補助及びアドバイスは、いずれも携帯電話で使用可能な既存の操作であり、携帯電話のプレーヤーソフトウェアを設定してリマインダ機能を実現し、また、携帯電話を適用するスマートスピーカーに接続することで音声制御リマインダを実現してもよい。前記一意的に識別される二次元コードのアイデンティティタグと使用者のユーザーアカウントとは、機能基礎の対応付け関係であり、且つ一対一対応の関係である。収納装置は、保存容器、弁当箱、薬箱、薬ボックス、収納ボックス、収納袋、収納箱、パッキング箱、水筒、哺乳瓶等であってもよい。食べ物又は貯蔵品を分類し、異なる本発明の知能化収納装置にそれぞれ格納した後、携帯電話端末ＡＰＰ又はウェイシンのスキャン機能により、携帯電話は、自己機能制御ページを自動的に開き、製品に対する機能需要に応じて予めリマインダ機能を設定し、リマインダ機能を定期的に実行し、説明メモ機能、音声メモ機能、音声リマインダ機能その他の補助機能等を使用する。
【００１７】
携帯電話端末ＡＰＰ又はウェイシンのスキャン機能により機能制御を行うことにより、食べ物の賞味期限前にリマインダする機能、食べることを定期的にリマインダする機能を達成することによって、ユーザーは、残りの食べ物をタイムリーに食べ切ることができる。また、保存されている食べ物の栄養成分リストを提供し、ユーザーに適度に食べるように注意させることで、ユーザーの健康な食事パターンを管理することが可能である。食材に対して、知能保存容器は、対応する参考レシピ及び料理情報を提供することで、ユーザーは多種の風味の料理及び栄養価の高い料理を食べることが可能であり、生活がより面白くなり、生活の質が向上する。
【００１８】
実施例２
前記実施例１に加えて、前記二次元コードのタグは、貼り付け又はプリント等により示されてもよい。
【００１９】
本実施例において、本発明の知能化収納装置の本体に設けられた一意的に識別される二次元コードのタグは、実際の製品の条件に応じて、貼り付け、プリント等の多種の形態により示され、スキャン機能により製品アイデンティティを識別することで、製品とユーザーとの対応付けを行い、制御関係を明らかにする。
【００２０】
実施例３
前記実施例１に加えて、収納装置の本体の材質は、プラスチック、ガラス、ステンレス鋼、シリコーン、セラミック等であってもよい。
【００２１】
本発明は、応用分野が広く、使用者範囲が広く、操作が便利であり、また、材質に制限されず、同じ仕様の本発明の製品であれば、各部品を互換的に使用することが可能であるため、部品の交換や製品の再購入は必要ない。
【００２２】
実験例
ターゲット使用者及び操作方式
本発明の収納装置のターゲット使用者は、携帯電話のユーザーである。食べ物又は貯蔵品を分類し、異なる本発明の知能化収納装置にそれぞれ格納した後、携帯電話端末ＡＰＰ又はウェイシンのスキャン機能により、携帯電話は、自己機能制御ページを自動的に開き、製品に対する機能需要に応じて予め期限リマインダ機能を設定し、リマインダ機能を定期的に実行し、説明メモ機能、音声メモ機能、音声リマインダ機能その他の補助機能等を使用する。
【００２３】
実験例１
使用者：張さん、男性、２４歳、デザイナー
従来の収納装置の場合：仕事が忙しくて、生活が不規則であることから、平日に買い物に行かなくても、十分な食料を確保できるために、張さんは、毎週の日曜日にたくさんの食べ物を購入して冷蔵庫に入れておくようにしていた。しかし、食べ物が多くて多様であるため、毎週土曜日に冷蔵庫を片付けるときに、たくさんの食べ物や腐敗物が残る場合が多かった。また、腐敗していない食べ物もあるが、最適な賞味期限を過ぎてしまった。
【００２４】
本発明の知能収納装置の場合：張さんは、毎週の日曜日の同様な時間に食べ物を購入し、そして逐一本発明の知能収納装置に入れ、ウェイシンのスキャン機能でスキャンした後、分類して食べる時間、食材の組合せ、及び音声リマインダ機能をそれぞれ設定し、冷蔵庫に入れておいた。一週間後、食べる時間及び食材の組み合わせを事前に設定したこと、及び携帯電話による定期的なリマインダのおかげで、食べ物の浪費は完全になくなかった。一ヶ月ぐらいの間に、張さんは、食べ物を顕著に節約しただけではなく、規則な食生活を達成し、体格的特性が向上した。
【００２５】
実験例２
使用者：劉さん、女性、２７歳、２０１７年４月、第一子の哺乳期終了
従来の収納装置の場合：子供のための授乳及び摂食の経験が不足しているため、子供の授乳時間を忘れた場合が多かったので、子供が泣き止まず、栄養補給も不十分であった。
【００２６】
本発明の知能化収納装置の場合：劉さんは、毎日子供の粉ミルク、栄養液をそれぞれ本発明の智能収納装置に入れ、携帯電話端末ＡＰＰでスキャンした後、食べ物配合指導機能の教示に従って水温及び濃度を設定し、そして子供の正常の摂食時間に応じてリマインダ機能を設定しておいた。一週間後、音声リマインダ及び合理的な食べ物の配合のおかげで、授乳時間を忘れることで子供が泣き止まないことが発生しなかった。一ヶ月ぐらいの間に、劉さんは子供の食事に詳しくなったとともに、子供への栄養補給も十分となり、子供の免疫力が著しく改善された。
【００２７】
実験例３
使用者：趙さん、女性、５０歳、長年の糖尿病患者
従来の収納装置の場合：趙さんは、外国企業の財務ディレクターを務めており、長年にわたって糖尿病に罹患しているため、毎日時間通りに特製の水薬を飲む必要があった。しかし、仕事が忙しくて薬を飲むことを忘れた場合が多かった。該水薬は、専門医師によって調剤したもので、高価だけではなく、飲む時間を守らないと薬が効かない（該水薬は、液体と固体薬物を配合したものであり、使用期限は、両者が接触した後の２時間以内である）。そのため、浪費だけではなく、長年の糖尿病も改善されなかった。
【００２８】
本発明の知能化収納装置の場合：趙さんは、毎日液体薬物と固体薬物をそれぞれ本発明の知能収納装置に入れ、ウェイシンのスキャン機能でスキャンした後、リマインダ時間及び投薬量を設定しておいた。一週間後、事前にリマインダ時間及び投薬量を設定したため、薬物の浪費がなくなっただけではなく、血糖値も安定するようになった。
【００２９】
以上では、いくつかの実施例を参照しながら本発明を説明したが、本発明の範囲から逸脱しない限り、前記実施例を任意に改良することができ、前記実施例に係る技術を同等に置換することもできる。特に、技術上の矛盾がない限り、本発明に開示された各実施例における各特徴を任意に組み合わせて使用することができる。文章の長さに限られるので、本明細書においてこれらの組合せを逐一述べていない。従って、本発明は、上記の特定の実施例に制限されず、保護範囲は、添付した特許請求の範囲に基づくべきである。
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
収納装置に用いられる知能リマインダシステムであって、
前記収納装置の本体には一意的に識別される二次元コードのアイデンティティタグが設けられ、前記二次元コードのアイデンティティタグは、携帯電話制御プログラムによりアクセスすることで知能リマインダシステムの機能を携帯電話で使用可能とし、
前記機能は、前記収納装置に保存されている物の栄養成分リストを提供し、前記収納装置に保存されている物に対応する参考レシピ及び料理情報を提供することを含むことを特徴とする収納装置に用いられる知能リマインダシステム。
【請求項２】
前記二次元コードのアイデンティティタグを識別する携帯電話制御プログラムは、携帯電話端末ＡＰＰであることを特徴とする請求項１に記載の収納装置に用いられる知能リマインダシステム。
【請求項３】
前記一意的に識別される二次元コードのアイデンティティタグと使用者のユーザーアカウントにより、前記機能の使用を対応付け、且つ一対一対応の関係であることを特徴とする請求項１または２に記載の収納装置に用いられる知能リマインダシステム。
【請求項４】
前記機能は、カスタムリマインダ機能、食品又は貯蔵品の日常管理補助及びアドバイス、食品又は貯蔵品の使用アドバイスを含むことを特徴とする請求項３に記載の収納装置に用いられる知能リマインダシステム。
【請求項５】
前記機能におけるカスタムリマインダ機能、食品又は貯蔵品日常管理補助及びアドバイスは、いずれも携帯電話で使用可能な既存の操作であり、携帯電話のプレーヤーソフトウェアを設定してリマインダ機能を実現し、また、携帯電話を適用するスマートスピーカーに接続することで音声制御リマインダを実現することを特徴とする請求項３または４に記載の収納装置に用いられる知能リマインダシステム。
【請求項６】
前記収納装置は、保存容器、弁当箱、薬箱、薬ボックス、収納ボックス、収納袋、収納箱、パッキング箱のいずれか１つであることを特徴とする請求項１乃至５のいずれか一項に記載の収納装置に用いられる知能リマインダシステム。
【請求項７】
前記二次元コードのアイデンティティタグは、貼り付け又はプリントにより示されることを特徴とする請求項１乃至６のいずれか一項に記載の収納装置に用いられる知能リマインダシステム。
【請求項８】
前記収納装置の本体の材質は、プラスチック、ガラス、ステンレス鋼、シリコーン、セラミックのいずれか１種類であることを特徴とする請求項１乃至７のいずれか一項に記載の収納装置に用いられる知能リマインダシステム。
【請求項９】
前記収納装置の本体の使用者は、携帯電話のユーザーであることを特徴とする請求項１乃至８のいずれか一項に記載の収納装置に用いられる知能リマインダシステム。